(57)【要約】      （修正有）【課題】ダマが生成されてしまった場合であっても簡便に粉末状に復帰させて使用することができる抹茶用の容器を提供する。【解決手段】抹茶Ｍ用の容器を、有底筒状をなす容器本体１と、この容器本体１の開口部に外嵌めされる樹脂により形成された環状の止着部２１とこの止着部２１の内側に配された網状をなす濾し網部２２とを有した茶濾し部材２と、蓋体とを備えたものとし、前記蓋体を取り外した状態では、前記容器本体内に収容された前記抹茶を前記濾し網部を通過させて使用し得るように構成した。抹茶Ｍにダマが生成されてしまった場合であっても簡便に粉末状に復帰させて使用することができるようになっている。【選択図】図４
0003188736.tif 000002
【実用新案登録請求の範囲】
【請求項１】
開口部を有し抹茶を収容するための収容空間が形成された有底筒状をなす容器本体と、この容器本体の開口縁部に外嵌めされる樹脂により形成された環状の止着部とこの止着部の内側に配された網状をなす濾し網部とを有した抹茶濾し部材と、前記容器本体の前記開口部を閉塞し得る蓋体とを備えてなる抹茶用の容器であって、
前記蓋体が前記容器本体に装着された状態において前記止着部が前記開口縁部と前記蓋体との間に位置してなり、
前記蓋体が前記容器本体から離脱された状態において前記容器本体内に収容された前記抹茶を、前記容器本体に装着された前記抹茶濾し部材の前記濾し網部を通過させて外部に導出し得るように構成していることを特徴とする抹茶用の容器。
【請求項２】
前記濾し網部が樹脂により形成されており、前記止着部に溶着により止着されている請求項１記載の抹茶用の容器。
【請求項３】
前記開口縁部が、外方に突出した外側突出部を備えており、
前記止着部が、前記外側突出部の下面と係わり合う内方に突出した内側突出部を有している請求項１又は２記載の抹茶用の容器。
【考案の詳細な説明】
【技術分野】
【０００１】
本考案は、抹茶用の容器に関する。
【背景技術】
【０００２】
従来から抹茶を収容して保管するための種々の抹茶用の容器が知られている。
【０００３】
一般に、抹茶を飲用等する際には、容器内に収容されている抹茶を匙等を利用して外部に取り出すか、あるいは、容器を傾けて抹茶を開口部側に送り出し、抹茶を外部に導き出すようにしている。
【０００４】
抹茶は、元来極めて細かに挽いて作られているものであるため、空気中の水分や静電気等の影響を受けて一定の大きさを有する抹茶の塊（いわゆる「ダマ」と称されるものであり、以下の説明では「ダマ」と言う。）が生成されてしまうという不可避的な問題を有している。従来は、容器内で生成されてしまった抹茶のダマは、そのまま使用されるか、あるいは、別体をなす専用の濾し網等を通して粉末状に戻してから使用されていた（例えば特許文献１参照）。
【０００５】
換言すれば、従来の抹茶用の容器においては、抹茶にダマが生成された場合にこれを簡便に粉末状に復帰させるための具体的な対策が何ら講じられていなかった。
【０００６】
また、従来の抹茶用の容器においては、密閉性を保持するために、例えば、有底筒型の容器本体を閉塞するべく金属製の中蓋と外蓋を使用した二重構造を採用するなどの対策が講じられている。しかしながら、金属製の部材同士では微細な寸法差の影響により密閉性を有効に保持できない場合があり、何らかの対策が望まれている。
【先行技術文献】
【特許文献】
【０００７】
【特許文献１】特開２００２−３６０４３１号公報
【考案の概要】
【考案が解決しようとする課題】
【０００８】
本考案は、このような課題に着目してなされたものであって、密閉性に優れるとともに抹茶にダマが生成されてしまった場合であっても簡便に粉末状に復帰させて使用することができる抹茶用の容器を提供することにある。
【課題を解決するための手段】
【０００９】
すなわち、本考案の抹茶用の容器は次の構成をなしている。
【００１０】
請求項１に記載の抹茶用の容器は、開口部を有し抹茶を収容するための収容空間が形成された有底筒状をなす容器本体と、この容器本体の開口縁部に外嵌めされる樹脂により形成された環状の止着部とこの止着部の内側に配された網状をなす濾し網部とを有した抹茶濾し部材と、前記容器本体の前記開口部を閉塞し得る蓋体とを備えてなる抹茶用の容器であって、前記蓋体が前記容器本体に装着された状態において前記止着部が前記開口縁部と前記蓋体との間に位置してなり、前記蓋体が前記容器本体から離脱された状態において前記容器本体内に収容された前記抹茶を、前記容器本体に装着された前記抹茶濾し部材の前記濾し網部を通過させて外部に導出し得るように構成しているものである。
【００１１】
このようなものであれば、前記蓋体が前記容器本体から離脱した状態において前記容器本体内に収容された前記抹茶を、前記容器本体に装着された前記抹茶濾し部材の前記濾し網部を通過させて外部に放出し得ることができるため、仮に抹茶にダマが生成されてしまった場合であっても簡便に粉末状に復帰させて使用することができる。つまり、使用者が、容器本体を把持しつつ抹茶濾し部材を下に位置させるように傾けて振り動かせば、収容空間内に存在する抹茶が濾し網部を通過し、ダマが粉末状に復帰することになる。したがって、本考案にかかる容器であれば、サラサラとした抹茶を極めて簡単に提供することができるものとなる。
【００１２】
このようなものであれば、例えば、アイスクリームやかき氷のトッピングとして、サラサラとした抹茶を極めて簡単に提供することができるものとなる。さらに、トーストや菓子等の食品や、ミルク等の飲料に振りかけても好適であることはもちろんのことであるし、塩と混合させた抹茶塩もダマのない好適な態様のものを極めて簡易に作ることができるものとなる。
【００１３】
しかも、前記蓋体が前記容器本体に装着された状態において前記樹脂製の止着部が前記開口縁部と前記蓋体との間に位置しているため、止着部が弾性変形して容器本体と蓋体との間に緊密に挟まれ得るものとなり、抹茶を収容するための収容空間を極めて密閉性に優れたものとすることができる。このため、抹茶の長期的な品質維持やダマの発生の抑制に寄与し得るものとなる。
【００１４】
請求項２に記載の抹茶用の容器は、前記濾し網部が樹脂により形成されており、前記止着部に溶着により止着されているものである。
【００１５】
このようなものであれば、濾し網部が樹脂により形成されているものであるため、軽量化及び製造の容易に寄与するものとなり、さらには、金属製の網において懸念される錆び等の問題が生じ得ないものとなる。
【００１６】
請求項３に記載の抹茶用の容器は、前記開口縁部が、外方に突出した外側突出部を備えており、前記止着部が、前記外側突出部の下面と係わり合う内方に突出した内側突出部を有しているものである。
【００１７】
このようなものであれば、容器本体の外側突出部と止着部の内側突出部とが係わり合うことにより、抹茶濾し部材が離脱し難い抜け止め構造が実現されるものとなるため、使用者がより一層安心して容器本体から抹茶を振り出すことができるものとなる。
【考案の効果】
【００１８】
以上説明したように本考案によれば、密閉性に優れるとともに抹茶にダマが生成されてしまった場合であっても簡便に粉末状に復帰させて使用することができる抹茶用の容器を提供することができるものとなる。
【図面の簡単な説明】
【００１９】
【図１】本考案の一実施形態を示す斜視図。
【図２】同実施形態における分解斜視図。
【図３】同実施形態における部分拡大断面図。
【図４】本考案の使用状態の一例を示す説明図。
【考案を実施するための形態】
【００２０】
以下、本考案の一実施形態を、図１〜４を参照して説明する。
【００２１】
この実施形態は、本考案を、抹茶Ｍを４０グラム程度収容することができる抹茶用の容器Ｃ（以下、単に「容器Ｃ」と言う。）に適用したものである。なお、抹茶Ｍは、図４においてのみ簡略的に示し、他の図では省略している。
【００２２】
容器Ｃは、開口部ｋを有し抹茶Ｍを収容するための収容空間ｓｐが形成された有底筒状をなす容器本体１と、この容器本体１の開口縁部１１に外嵌めされる樹脂により形成された環状の止着部２１とこの止着部２１の内側に配された網状をなす濾し網部２２とを有した抹茶濾し部材２と、前記容器本体１の前記開口部ｋを閉塞し得る蓋体３とを具備してなるものである。
【００２３】
以下、容器Ｃの各構成について詳述することとする。
【００２４】
容器本体１は、円形をなす底部材１１と、この底部材１１の外縁から上方に延びる筒状の側部材１２とを有した有底筒状のものであり、この実施形態のものは、金属により作られている。容器本体１は、底部材１１と側部材１２によって囲まれた空間部分を、抹茶Ｍを収容するための収容空間ｓｐとしている。
【００２５】
側部材１２は、円筒状のものであり、上端縁に位置する開口縁部１２１は円環状をなしており、収容空間ｓｐと外部空間とを連通させる開口部ｋを形成している。開口縁部１２１は、側部材１２における上下方向中央部の外面よりも外側に突出させた外側突出部１２１ａを有している。外側突出部１２１ａは、抹茶濾し部材２の止着部２１と協働して抹茶濾し部材２の容器本体１からの抜け止め機能を発揮し得るものであるが、詳しくは後述することとする。
【００２６】
抹茶濾し部材２は、容器本体１の開口縁部１２１に外嵌めされる蓋に近似した外観をなすものであり、樹脂により成形されている。抹茶濾し部材２は、開口縁部１２１に対応させて環状に形成された止着部２１と、この止着部２１の内側に配されてなり抹茶Ｍを濾すべく網状に形成された濾し網部２２とを備えている。
【００２７】
止着部２１は、主要部が開口縁部１２１の上側に位置する上部壁２１１と、この上部壁２１１の外縁から下方に延び主要部が前記開口縁部１２１の外側に位置する側部壁２１２と、前記上部壁２１１の内縁から内方に向かって延び、上部壁２１１よりも一段低い位置、すなわち、上面を前記上部壁２１１の上面よりも低い場所に位置させた内方延出壁２１３とを備えている。
【００２８】
上部壁２１１は、容器本体１及び蓋体３と係わり合う部位であり、容器本体１の開口縁部１２１の内側面に接し得る位置に配された下方に向けて突出する環状をなす下側突出部２１１ａと、上方に向けて突出した環状をなす上側突出部２１１ｂとを備えている。
【００２９】
側部壁２１２は、容器本体１及び蓋体３と係わり合う部位であり、上下方向中間部に内方に向けて突出する環状をなす内側突出部２１２ａが形成されている。
【００３０】
濾し網部２２は、所定サイズに設定された網目を有する円形状のものであり、その外周縁部２２ａが止着部２１の内方延出壁２１３の下面に溶着により止着されている。
【００３１】
以上の構成を有する抹茶濾し部材２は、樹脂の弾性変形を利用して、容器本体１に対して着脱可能に構成されている一方で、容器本体１から離脱し難いように構成されている。すなわち、図３に示すように、止着部２１の上部壁２１１に配された下側突出部２１１ａは、開口縁部１２１の内側面に当接し、容器本体１に対する抹茶濾し部材２の位置決めを行っている。止着部２１の側部壁２１２に配された内側突出部２１２ａは、開口縁部１２１における外側突出部１２１ａの下面に当接し、容器本体１に対する抜け止めを行っている。換言すれば、容器本体１の開口縁部１２１は、止着部２１によって包みこむように保持されている。
【００３２】
なお、容器本体１に対して抹茶濾し部材２を装着する際は、外側突出部１２１ａを有した開口縁部１２１が、樹脂製の内側突出部２１２ａを押圧することとなり、当該内側突出部２１２ａが一時的に外方に向かって弾性変形されている。
【００３３】
蓋体３は、前記容器本体１の前記開口部ｋを閉塞するものである。蓋体３は、円形状をなす天蓋部３１とこの天蓋部３１の外縁から下方に垂下させた筒状の側蓋部３２とを具備してなるものである。蓋体３を構成する天蓋部３１と側蓋部３２とは金属板をプレスすることにより一体に形成されたものである。
【００３４】
以上詳述した容器Ｃは、容器本体１の収容空間ｓｐに抹茶Ｍを収容させている。そして、前記蓋体３が前記容器本体１に装着された状態、すなわち、蓋装着状態において、前記抹茶濾し部材２の止着部２１が前記開口縁部１２１と前記蓋体３との間に位置し、収容空間ｓｐと外部空間とを遮断し収容空間ｓｐの密閉性を保持し得るようになっている。
【００３５】
より具体的に言えば、止着部２１における上部壁２１１の上側突出部２１１ｂの先端が、蓋体３の天蓋部３１の下面に当接して収容空間ｓｐと外部空間との空気の連通を遮断するとともに、止着部２１における側部壁２１２の外面２１２ｂが蓋体３の側蓋部３２の内面３２１に当接して収容空間ｓｐと外部空間との空気の連通を遮断している。特に、側壁部２１２は、蓋体３の装着に伴って当該蓋体３の側蓋部３２の内面３２１と容器本体１の外側突出部１２１ａの外面との間に位置し、当該蓋体３と容器本体１とによって比較的強い圧力で挟み込まれることとなり、極めて有効に収容空間ｓｐと外部空間との空気の連通を遮断するものとなっている。
【００３６】
また、容器Ｃは、前記蓋体３が前記容器本体１から離脱した状態、すなわち、蓋非装着状態において、前記容器本体１内に収容された前記抹茶Ｍを、前記容器本体１に装着された前記抹茶濾し部材２の前記濾し網部２２を通過させて外部に導出し得るように構成している。
【００３７】
つまり、前記抹茶Ｍを、前記容器本体１に装着された前記抹茶濾し部材２の前記濾し網部２２を通過させて外部に導出することができ、仮に抹茶Ｍにダマが生成されてしまった場合であっても簡便に粉末状に復帰させて使用することができるものとなっている。
【００３８】
典型的な使用例としては次のとおりである。
【００３９】
すなわち、使用者は、容器本体１を把持しつつ抹茶濾し部材２が下に位置するように傾け、内部の抹茶Ｍを濾し網部２２を通過させるべく容器本体１を振り動かす。そうすると、収容空間ｓｐ内に存在する抹茶Ｍが、濾し網部２２を通過することとなり、濾し網部２２を通過する過程において、ダマが濾され粉末状に復帰することになる。
【００４０】
このようにすることによって、本実施形態に係る容器Ｃは、本来の風味等を味わうために好適な態様であるダマの無いサラサラとした粉末状の態様の抹茶Ｍを、極めて簡単に提供することができるものとなっている。
【００４１】
なお、本考案は、以上に詳述した実施形態に限られるものではない。
【００４２】
例えば、容器の大きさについては種々設定することができるものであり、本実施形態に示されるものには限定されるものではない。
【００４３】
容器本体や蓋体は、金属製のものに限定されるものではなく、樹脂により形成されたものであってもよい。
【００４４】
上述した実施形態では、抹茶濾し部材の濾し網部が樹脂により形成されたものを示しているが、かかる態様のものには限定されず、金属製のものであってもよい。
【００４５】
その他、各部の具体的構成についても上記実施形態に限られるものではなく、本考案の趣旨を逸脱しない範囲で種々変形が可能である。
【符号の説明】
【００４６】
１…容器本体
２…抹茶濾し部材
３…蓋体
ｋ…開口部
Ｍ…抹茶
ｓｐ…収容空間
【図１】
0003188736.tif 000003
【図２】
0003188736.tif 000004
【図３】
0003188736.tif 000005
【図４】
0003188736.tif 000006